(57)【要約】【課題】壁面に段差のある施工場所においても、手摺棒をガタつき無く強固に支持することができると共に、手摺棒受部の出幅を調整しながら簡単に取付けることができ、しかも手摺棒受部の出幅を調整する必要の無い施工現場で使用していた手摺支持部材をそのまま利用することのできる手摺装置を提供する。【解決手段】手摺支持部材２を壁面Ｗに固定する取付螺子３の軸部と係合可能な切り込み部が形成され、且つ切り込み部を取付螺子３の軸部と係合して手摺支持部材２と壁面Ｗの間に配置され、壁面Ｗからの手摺棒受部４１の出幅を調整する１枚あるいは複数の出幅調整プレート９を備え、出幅調整プレート９の表面に突部９３が形成され、該突部９３が手摺支持部材２の取付基部５３の壁取付面５５あるいは重ね合わされた出幅調整プレート９の裏面に形成された凹部と係合し、手摺支持部材２の取付基部５３と出幅調整プレート９の周縁を覆うカバー部材を設けた。【選択図】        図１
2004270191.tif 000002
【特許請求の範囲】
【請求項１】
取付螺子を用いて手摺支持部材を壁面に固定し、手摺支持部材の先端に形成した手摺棒受部に手摺棒を取付けた手摺装置であって、前記取付螺子の軸部と係合可能な切り込み部が形成され、且つ切り込み部を取付螺子の軸部と係合して手摺支持部材と壁面の間に配置され、壁面からの手摺棒受部の出幅を調整する１枚あるいは複数枚の出幅調整プレートを備えたことを特徴とする手摺装置。
【請求項２】
出幅調整プレートの表面に突部が形成され、該突部が手摺支持部材の取付基部の壁取付面あるいは重ね合わされた出幅調整プレートの裏面に形成された凹部と係合することを特徴とする請求項１に記載の手摺装置。
【請求項３】
手摺支持部材の取付基部と出幅調整プレートの周縁を覆うカバー部材を設けたことを特徴とする請求項１または２に記載の手摺装置。
【請求項４】
カバー部材が一箇所に開放箇所を有するリング状に形成され、カバー部材の開放端には開放箇所を開閉自在に連結する係止部を形成したことを特徴とする請求項３に記載の手摺装置。
【請求項５】
壁面と接する出幅調整プレートの周縁に切欠部が形成され、カバー部材に該切欠部と係合する係合突部が形成され、切欠部に係合した係合突部を壁面と手摺支持部材の壁取付面あるいは重ね合わされた出幅調整プレートの裏面との間で位置規制したことを特徴とする請求項３または４に記載の手摺装置。
【発明の詳細な説明】
【０００１】
【発明の属する技術分野】
この発明は、廊下あるいは階段等の壁面に沿って配設された手摺棒を有する手摺装置に関するものである。
【０００２】
【従来の技術】
従来、廊下、階段等の壁面には手摺が取付けられている。これは、壁面に取付けた手摺支持部材の手摺棒受部に手摺棒を取付けたものであり、通常手摺棒は、ガタつきなく強固に取付けられなければならない。
施工場所によっては、壁面に段差が生じている場合があり、このような壁面に手摺を取付けると、部分的に手摺支持部材と壁面との間に隙間が生じ、手摺棒にガタつきが生じたり、手摺棒を強固に支持することができず、長期の使用により手摺棒が脱落する等の虞があった。
壁面の補修を行って段差を解消した後に、手摺を取付ければ、前記不具合は解消されるが、壁面の補修には相当の手間を要するものである。
【０００３】
そこで、特許文献１には、外周に雄ネジを形成した突出筒部を有する壁面固定部材を壁面に固定し、突出筒部の雄ネジに螺合する雌ネジが内周に形成され、壁面固定部材の雄ネジとの螺合量を変えて壁面からの突出幅を調整できる突没調整部材に、手摺棒取付け用の手摺受金具を設けた壁面用パイプ手摺が開示されている。
特許文献１に記載の壁面用パイプ手摺によれば、壁面固定部材と突没調整部材の螺合量を変えることにより、壁面からの突没調整部材の突出幅を調整でき、壁面からの手摺受金具の突出幅を調整することができるので、段差のある壁面であっても、壁面固定部材と壁面の間に隙間を生じることなく、手摺棒を強固に取付けることができるものである。
【０００４】
また、特許文献２に示される手摺受具は、壁面に取付けた壁面取付座に突出する筒状の腕保持筒を設け、腕保持筒に摺動自在に嵌められる横腕部を有する支持腕と、支持腕の先端に設けられる手摺取付部を備え、腕保持筒内にスペーサを挿入することによって支持腕の突出量を調整し、壁面取付座の裏面側から腕保持筒に差し込まれるボルトを支持腕の横腕部に螺合した手摺受具である。
特許文献２に記載の手摺受具によれば、スペーサの長さを変えることによって支持腕の突出量を調整することができ、特許文献１と同様に壁面の段差を吸収できるものである。
【０００５】
しかしながら、特許文献１に示される壁面用パイプ手摺においては、壁面固定部材の突出筒部と突没調整部材の嵌合量（螺合量）を変えているので、突没調整部材の突出量が多くなると、壁面固定部材の突出筒部と突没調整部材の嵌合量が少なくなり、手摺棒を十分な支持強度で保持することができなくなる虞を有するものである。また、突出量を調整する際には、アームブラケットを回転させて螺合量を変えなければならず、突出量の調整が完了する迄は、手摺棒とアームブラケットを連結することができず、取付け作業に手間を要するものであった。
【０００６】
特許文献２に示される手摺受具においても、スペーサが長くなると、腕保持筒と横腕部の嵌合量が少なくなり、手摺棒を十分な支持強度で保持することが困難であり、長さを変えた複数のスペーサを用意しておく必要がある。
また、壁面取付座の裏面側から挿入したボルトを、支持腕に差し込んで固定しているので、予め支持腕の突出量を調整した後でなければ、手摺受具を壁面に取付けることができず、支持腕の突出量を確認しながら施工することが困難なものであった。
【０００７】
さらに、特許文献１、２の何れにおいても、壁面に取付けられる壁面固定部材、壁面取付座等の固定部と手摺棒が取付けられる突没調整部材、支持腕等の移動調整部が別部材となっているので、両者の間にガタが発生し易いものであった。
【０００８】
【特許文献１】
特開平７−２２９２６１号公報
【０００９】
【特許文献１】
特開平１０−８８７６１号公報
【００１０】
【発明が解決しようとする課題】
この発明の目的は、壁面に段差のある施工場所においても、手摺棒をガタつき無く強固に支持することができると共に、手摺棒受部の出幅を調整しながら簡単に取付けることができ、しかも手摺棒受部の出幅を調整する必要の無い施工場所で使用していた手摺支持部材をそのまま利用することのできる手摺装置を提供することを目的とする。
【００１１】
【課題を解決するための手段】
本発明者等は、このような事情に鑑み鋭意検討を重ねた結果、取付螺子を用いて手摺支持部材を壁面に固定し、手摺支持部材の先端に形成した手摺棒受部に手摺棒を取付けた手摺装置であって、前記取付螺子の軸部と係合可能な切り込み部が形成され、且つ切り込み部を取付螺子の軸部と係合して手摺支持部材と壁面の間に配置され、壁面からの手摺棒受部の出幅を調整する１枚あるいは複数枚の出幅調整プレートを備えたことによって、所期の目的を達成したものである。
【００１２】
また、出幅調整プレートの表面に突部が形成され、該突部が手摺支持部材の取付基部の壁取付面あるいは重ね合わされた出幅調整プレートの裏面に形成された凹部と係合することにより、取付螺子を回して手摺支持部材を固定する際に出幅調整プレートが取付螺子と共に回転することなく、出幅調整プレートが位置ズレを起こさずに収まりよく取付けることができ、取付け時における出幅調整プレートの動きを抑えることができる。
【００１３】
さらに、手摺支持部材の取付基部と出幅調整プレートの周縁を覆うカバー部材を設けたので、出幅調整プレートの有無あるいは出幅調整プレートの枚数に関わらず良好な外観を得ることができる。
【００１４】
カバー部材が一箇所に開放箇所を有するリング状に形成され、カバー部材の開放端には開放箇所を開閉自在に連結する係止部を形成したので、手摺支持部材を固定した後、カバー部材を手摺支持部材の取付基部と出幅調整プレートの周縁に被せて簡単に取付けることができる。
【００１５】
壁面と接する出幅調整プレートの周縁に切欠部が形成され、カバー部材に該切欠部と係合する係合突部が形成され、切欠部に係合した係合突部を壁面と手摺支持部材の壁取付面あるいは重ね合わされた出幅調整プレートの裏面との間で位置規制したので、カバー部材を簡単に取付け得ると共に、その取付け位置を固定することができる。
【００１６】
【作用】
この発明によれば、手摺支持部材を壁面に固定する取付螺子に、出幅調整プレートの切り込み部を係合して手摺棒受部の壁面からの出幅を調整しているので、手摺支持部材と壁面との間に隙間が生じることなく、手摺棒を強固に支持することができ、手摺棒受部の出幅を調整するに当たっては、手摺棒を取付けた手摺支持部材を壁面に仮止めした状態で、出幅調整プレートの枚数を変えることができるので、調整作業を簡単に行うことができる。
また、手摺棒受部の出幅が変化しても、取付螺子の長さを変えることにより、取付螺子は壁との間に所定の螺合量を得ることができるので、手摺棒の支持強度低下を招くことがない。
さらに、これまで手摺棒受部の出幅を調整する必要の無い施工現場で使用していた手摺支持部材を、そのまま利用することができる。
【００１７】
【発明の実施の形態】
以下、発明の実施の形態を実施例に基づき説明する。
図１ないし８は本発明手摺装置１の実施例を表わし、図中２は金属製の手摺支持部材であり、壁面Ｗに取付螺子３を用いて取付られる。手摺支持部材２は、先端に手摺棒受部４１を形成した手摺受金具４と、壁面Ｗに固定される壁面固定金具５とから構成されている。手摺受金具４と壁面固定金具５は、アルミニウムダイカストにより形成されている。
なお、本実施例においては、手摺支持部材２が、手摺受金具４と壁面固定金具５との二つの部材により構成されているが、両者を一体構造としても構わない。
【００１８】
手摺受金具４の手摺棒受部４１には手摺棒６が取付けられており、手摺棒６は断面略円形状を呈するアルミニウム製押出形材により形成されている。手摺棒６の下部には、手摺受金具４を取付けるための溝部６１が形成されており、溝部６１内には手摺棒６の長手方向に沿って移動自在な連結部材（不図示）が嵌入されている。連結部材と手摺受金具４を螺子４２により連結することによって、手摺棒６が手摺受金具４の手摺棒受部４１に固定される。
【００１９】
手摺受金具４の下部には、壁面取付金具５との連結部４３が形成され、連結部４３が壁面取付金具５の先端部に形成した二股状の挟持部５１の挟持片５２、５２の間に挿入されている。連結部４３と挟持片５２には透孔が形成され、連結部４３の透孔と、挟持片５２の透孔を合致させ、一方の挟持片５２の透孔より螺子７を挿入して挟持片５２、５２の間に連結部４２を挟着する。そして、手摺受金具４は螺子７を中心として、壁面取付金具５に対する傾きを可変とすることができる。
壁面取付金具５の取付基部５３の中央部には、透孔５４が形成され、透孔５４に取付螺子３を挿通し、取付螺子３が壁Ｗに埋め込まれた雌螺子アンカー８と螺合する。
【００２０】
図中９は出幅調整プレートであり、上部に切欠部９１が形成された出幅調整プレート９Ａと、切欠部の無い出幅調整プレート９Ｂの二種類が用意されている（図２参照）。なお、出幅調整プレート９Ａ、９Ｂ共に、厚さ２ｍｍのステンレス鋼により形成されている。
出幅調整プレート９には下部が開放された切り込み部９２が形成されており、この切り込み部９２の幅は取付螺子３の軸部３１の軸径よりも若干大きめに形成されている。出幅調整プレート９の表面Ｏの四隅部には、突部９３が形成されており、裏面Ｕ側における突部９３が形成された位置には、凹部９４が形成されている。そして、突部９３の大きさは凹部９４に嵌入する大きさとなっている。
【００２１】
出幅調整プレート９は図１に示すように、壁面取付金具５と壁面Ｗの間に配置され、切り込み部９２が取付螺子３の軸部３１に嵌合する。図１において、出幅調整プレート９は５枚重ねられており、手摺棒受部４１の出幅を１０ｍｍ増やすことができる。出幅調整プレート９の枚数は、壁面取付金具５と壁面Ｗとの隙間量に合わせて適宜調整される。
【００２２】
壁面Ｗと接する出幅調整プレート９は、切欠部９１が形成された出幅調整プレート９Ａであり、二枚目以降の出幅調整プレート９は、切欠部の無い出幅調整プレート９Ｂが用いられる。二枚目以降の出幅調整プレート９Ｂは、壁面側に隣接する出幅調整プレート９の突部９３に裏面Ｕの凹部９４が嵌合し、複数の出幅調整プレート９が位置ズレを起こすことなく重ね合わされる。
【００２３】
壁面取付金具５に隣接する出幅調整プレート９の突部９３は、壁面取付金具５の取付基部５３の壁取付面５５に形成された凹部５６内に嵌入し、凹部５６の内周に沿って突部９３が配置され、壁面取付金具５から出幅調整プレート９が位置ズレを起こすことなく取付けられる（図４参照）。
よって出幅調整プレート９は、隣接する出幅調整プレートあるいは壁面取付金具５の壁取付面５５と嵌合しているので、取付螺子３を回して壁面取付金具５を固定する際に、取付螺子３と共に回転せず、壁面取付金具５の取付基部５３の位置から外れることなく取付けが可能である。
【００２４】
図中１０はカバー部材であり、合成樹脂製の下部が開放されたリング状を呈し、開放端には係止部１０１が形成されており、係止部１０１を連結することにより、開放部を閉じることができる（図５参照）。カバー部材１０の上連結部１０２の下側部には、係合突部１０３が形成されている。
カバー部材１０は図３に示すとおり、出幅調整プレート９の周縁と壁面取付金具５の取付基部５３の壁面側端部を覆うように上方から被せられ、開放端の係止部１０１を連結して取付けられる。この時、カバー部材１０の係合突部１０３は、壁面Ｗに接する出幅調整プレート９Ａの切欠部９１に係合し、係合突部１０３が壁面Ｗと壁面取付金具５の壁取付面５５、あるいは壁面Ｗと二枚目の出幅調整プレート９Ｂの裏面Ｕとの間に挟着され、カバー部材１０の動きが規制される。
【００２５】
以上の構成からなる本発明手摺装置１を、施工順に説明する。
先ず手摺棒６の取付け位置に合わせて、手摺支持部材２を取付螺子３により仮止めする。このとき、手摺受金具４と壁面取付金具５は螺子７により予め連結しておく。次に手摺棒６を手摺受金具４の手摺棒受部４１に載置し、溝部６１内に挿入した連結部材と手摺受金具４を螺子４２を用いて連結する。
図８に示すように、壁面Ｗに段差Ｄが発生している場合、壁面Ｗとの間に隙間が生じている壁面取付金具５（図８中下側）においては、取付螺子３に出幅調整プレート９の切り込み部９２が跨るように、出幅調整プレート９を壁面Ｗと壁面取付金具５との間に挿入して、隙間の発生していない壁面取付金具５（図８中上側）の突出位置と同じになるように合わせる。なお、壁面取付金具５は段差の有無に関わらず、全て同じものが使用される。
【００２６】
出幅調整プレート９により、壁面Ｗと壁面取付金具５との間に隙間が無くなれば、螺子３を緊締して手摺支持部材２の取付が完了する。
なお、１枚目の壁面Ｗと接する出幅調整プレート９には、上部に切欠部９１が形成された出幅調整プレート９Ａを用い、２枚目以降の出幅調整プレート９には、切欠部の無い出幅調整プレート９Ｂを用いる。
【００２７】
最後に、出幅調整プレート９の周縁と壁面取付金具５の取付基部５３の壁側端部を覆うようにカバー部材１０を上方から被せ、出幅調整プレート９Ａの切欠部９１とカバー部材１０の係合突部１０３を係合させ、開放端の係止部１０１を連結してカバー部材１０の取付けが完了する。
【００２８】
以上の構成からなる本発明手摺装置１によれば、手摺棒６を取付けた手摺支持部材２を仮止めした状態で、出幅調整プレート９を壁面Ｗと手摺支持部材２の間に挿入して、手摺棒受部４１の出幅を調整できるので、調整作業を簡単に行うことができ、出幅を調整する必要の無い手摺支持部材２と出幅を調整する手摺支持部材２は同じものを使用することができる。出幅調整量が大きな手摺支持部材２を取付ける際には、軸の長い取付螺子３を使用することにより、手摺支持部材２の取付強度の低下を招くことはない。
また、手摺棒受部４１の出幅を調整するのは、出幅調整プレート９であり、壁面取付金具５の出幅を伸び縮みさせるものではないので、ガタ等の発生は皆無である。
【００２９】
【発明の効果】
本発明手摺装置によれば、手摺支持部材の手摺棒受部の出幅を調整するに当たっては、手摺棒を取付けた手摺支持部材を壁面に仮止めした状態で、出幅調整プレートの枚数を調整することにより、出幅調整作業を簡単に行うことができ、手摺棒受部の出幅が変化しても、取付螺子の長さを変えるだけで手摺支持部材の取付強度低下を招くことがなく、出幅調整の必要のない手摺支持部材をそのまま使用することができる等実施上の効果は多大である。
【図面の簡単な説明】
【図１】本発明手摺装置の出幅調整状態を表す説明図
【図２】本発明手摺装置における出幅調整プレートの表面と裏面を表す全体図
【図３】本発明手摺装置を壁面に取付けた状態を表わす側面図
【図４】図３におけるＡ−Ａ線断面図
【図５】本発明手摺装置におけるカバー部材の全体図
【図６】本発明手摺装置を壁面に取付けた状態を表わす正面図
【図７】本発明手摺装置の壁面との取付部を表わす断面図
【図８】本発明手摺装置を壁面に取付けた状態を表わす側面図
【符号の説明】
１      手摺装置
２      手摺支持部材
３      取付螺子
４      手摺受金具
５      壁面取付金具
６      手摺棒
９      出幅調整プレート
４１      手摺棒受部
Ｗ      壁面
【図１】
2004270191.tif 000003
【図２】
2004270191.tif 000004
【図３】
2004270191.tif 000005
【図４】
2004270191.tif 000006
【図５】
2004270191.tif 000007
【図６】
2004270191.tif 000008
【図７】
2004270191.tif 000009
【図８】
2004270191.tif 000010